(57)【要約】【課題】ドアに取付けられる戸当りであって、ドアの開閉時に衝撃音を発生することなく、しかも開閉したドアはガタ付くことなく安定するマグネット付き戸当りの提供。【解決手段】Ｌ形のホルダー３の縦片４にはゴム２を取着し、又マグネット１を取着した受け５をホルダー３にネジ止めし、上記マグネット表面７はゴムの表面８から僅かに後退して段差を形成している。【選択図】        図１
2004324324.tif 000002
【特許請求の範囲】
【請求項１】
ドアや引戸装置に取付けられる戸当りにおいて、該戸当りは弾性体とマグネットの組合せ構造とし、マグネット表面は弾性体の表面から僅かに後退して段差を形成したことを特徴とするマグネット付き戸当り。
【請求項２】
ドアや引戸装置に取付けられる戸当りにおいて、ホルダーには弾性体ブロックを取着し、又マグネットを取着した受けをホルダーにネジ止めし、上記マグネット表面は弾性体の表面から僅かに後退して段差を形成したことを特徴とするマグネット付き戸当り。
【請求項３】
上記マグネット表面と弾性体の表面との間に形成される段差の大きさを、マグネットの位置又は弾性体の位置を変えることで調整可能とした請求項１又は請求項２記載のマグネット付き戸当り。
【請求項４】
継手部を介して折畳み可能に連結している主ドアと補助ドアから成り、補助ドアは上レールを走行するスライダーに吊設されて回転しながら移動することで開閉する折戸装置において、上記補助ドア又は主ドアの上端であって継手片付近に戸当りを取付け、該戸当りは、Ｌ型ホルダーの縦片に弾性体とマグネットの組合せ構造として取着し、マグネット表面は弾性体の表面から僅かに後退して段差を形成して構成したことを特徴とする折戸装置。
【発明の詳細な説明】
【０００１】
【産業上の利用分野】
本発明はドアが閉じた時及び開いた時にガタ付かないように固定するマグネットを備えた戸当り、及び該戸当りを備えた折戸装置に関するものである。
【０００２】
【従来技術】
ドアには一般に戸当りが取付けられていてドアを閉じた際に、又開いた際に所定の位置で停止することが出来るようになっている。該戸当りの一般的な形態はクッション性のゴムを先端に備えたもので、ドアがゴムに当ることで停止すると共に、弾力性に優れたゴムは衝撃を吸収して開閉時の衝撃音を防止することが出来る。
【０００３】
しかし、先端にゴムを備えた戸当りでは、開閉するドアを所定の位置で停止でき、同時に開閉時の衝撃音を防止するが、ドアは戸当りに当った位置で安定するものではなく、開いたドアはバタ付きを起こす。例えば、隙間風が侵入すれば、独りでに閉じてしまうこともある。（閉じた場合にはラッチが噛み合って開くことは無い。）
【０００４】
そこで、ゴムとマグネットを組合せた戸当りも知られている。マグネットを取付けることで、該マグネットの吸引力によって開いたドア又は閉じたドアはバタ付くことなく安定することは出来るが、衝撃力に比較的弱いマグネットはドアの開閉に伴って発生する衝撃によって欠けたり、破損したりする。
【０００５】
一方、マグネットが当ることで吸引する対向側部材の表面にはキズが発生して外観が損なわれる。そして、開閉時にはマグネット面が必ず当ることで、弾性ゴムを備えた戸当りであっても完全に衝撃音を無くすことは出来ない。
【０００６】
図５はトイレブース等の出入口のドアとして近年多用されている折戸装置の外観を示している。該折戸は主ドア（イ）と補助ドア（ロ）の２枚ドアで構成して互いに折畳み可能に連結され、主ドア（イ）は正面パネル（ハ）にその縁が軸支され、補助ドア（ロ）は上端に吊車等のスライダーが取着され、スライダーは上レール（ホ）に沿って移動することが出来る。同図は出入口を閉じている状態であるが、補助ドア（ロ）はスライダーを中心として回転しながら上レール（ホ）に沿って移動し、主ドア（イ）は継手を中心として揺動することが出来、補助ドア（ロ）は主ドア（イ）に重なり合うように折畳まれた状態で出入口が開かれる。
【０００７】
図６には折戸が折畳まれた場合の横断面を示すように、仕切りパネル（ニ）から延びているストッパー（ヘ）に主ドア（イ）が当って停止する。ところで、同図に示すように、主ドア（イ）と補助ドア（ロ）を直線状に伸展して出入口を閉じる場合、主ドア（イ）と補助ドア（ロ）の継手部（ト）は、付近の上端に取着した戸当りが上レール（ホ）に当って停止し、この状態でレバー（チ）を回してロックすることが出来る。
【０００８】
ここで、ドア上端に取着した戸当りがゴムだけで構成した場合には、折戸を閉じた際の衝撃音は発生しないが、閉じた瞬間でロックするまでの安定性を欠き、ロックしにくいといった問題がある。すなわち、レバー４を回転することで上方へ突出するロッドの位置決めがし難い。また、マグネットを備えた戸当りであれば閉じると同時に折戸はバタ付くことなく安定するが、衝撃音が発生すると共に、マグネットが欠けたり、上レール面にキズを生じることになる。このキズは表面化して折戸装置の外観を損なってしまう。
【０００９】
【発明が解決しようとする課題】
このように、従来の戸当りには上記のごとき問題がある。本発明が解決しようとする課題はこの問題点であり、ドアの開閉時に衝撃音を発生することなく、しかもマグネットを破損したり、表面にキズを発生して外観を損なうことが無いようにしたマグネット付き戸当り、及びこの戸当りを取付けた折戸装置を提供する。
【００１０】
【課題を解決する為の手段】
本発明に係る戸当りはマグネットとゴム等の弾性体を組合せて構成したものである。ドアを開閉した際に戸当りの弾性体が当って衝撃音の発生を防止し、マグネット面は直接当らない構造としている。すなわち、弾性体の当り面とマグネット面は同一でなく、マグネット面は弾性体の当り面より僅かに後退し、段差を形成している。
【００１１】
この段差はドアの開閉時に戸当りが当って停止する被戸当り部材にマグネットの吸引力が及ばない大きさではなく、開閉したドアを静止するに十分な吸引力を作用することが出来る大きさとしている。弾性体はドアの開閉操作に基づく慣性（運動エネルギー）によって圧縮変形し、マグネット面との間に形成している段差は縮小するが、該段差が０と成ってマグネット面が接することが無い大きさとしている。ドアの大きさ及び重量の違いによって開閉時の運動エネルギーは異なり、弾性体が適度に圧縮すると共にマグネット面が接しないようにするために、マグネット又は弾性体の位置を（すなわち段差の大きさ）を調整可能な戸当り構造とすることが出来る。
【００１２】
ところで、この戸当りを折戸に取付ける場合、その位置は従来通り継手部付近の主ドア又は補助ドア上端であって、折戸が閉じることで、戸当りは上レール表面に衝撃を伴うことなく当り、マグネットの吸引力によって折戸はバタ付くことなく静止する。勿論、マグネット面が上レール表面に接することは無く、上レールにキズを付けることも無い。この戸当りは折戸を折畳んで開いた場合のストッパーとしても兼用することは可能である。以下、本発明に係る実施例を図面に基づいて詳細に説明する。
【００１３】
【実施例】
図１は本発明に係る戸当りを示す実施例である。同図の（１）はマグネット、（２）は弾性体であるゴム、（３）はホルダーを表わし、Ｌ形のホルダー（３）の縦片（４）には上記マグネット（１）とゴム（２）が固定されている。ここで、上記マグネット（１）は円柱状の受け（５）に取着され、すなわち、受け（５）に形成した穴にマグネット（１）が嵌って取着され、この受け（５）はホルダー（３）の縦片（４）にネジ（６）を介して固定されている。
【００１４】
そして、上記ゴム（２）は角形ブロックを成して、中央部には穴が貫通し、この穴にマグネット（１）を固定した受け（５）が嵌っている。ゴム（２）は縦片（４）に接着剤等を用いて固着されている。
【００１５】
ところで、マグネット（１）の表面（７）とゴム（２）の表面（８）とは同一面でなく、僅かな段差ａを有している。すなわち、マグネット表面（７）はゴム表面（８）より後退した位置にあって、ドアの開閉時にマグネット面（７）が直接当らないような大きさの段差ａを設定している。
【００１６】
図２は本発明の戸当りを折戸の上端に取着した場合を示している。戸当りのホルダー（３）は折戸上端にネジ止めされ、縦片（４）に取着しているゴム（２）は上レール（９）に当接している。この場合、マグネット表面（７）は上レール（９）に接することなく、僅かな隙間を残した状態で吸引力を該上レール（９）に作用して折戸のバタ付きを防止している。
【００１７】
図３は折戸装置の折戸が折畳まれて出入口が開かれている場合を示している。折戸は前記図６に示したものと基本構造は同じであり、主ドア（１０）と補助ドア（１１）とは継手部（１２）を介して折畳みできるように連結され、主ドア（１０）は仕切りパネル（１３）から延びているストッパー（戸当り）に当って静止する。本発明の戸当りは補助ドア（１１）の上端であって、継手部付近に取付けられている。
【００１８】
そこで、折戸が伸展して閉じられる場合、上記戸当りは上レール（９）に当接して停止する。図４は折戸が閉じた場合の縦断面を示したもので、（ａ）は戸当り部の補助ドア（１１）部を示す縦断面、（ｂ）はランナー部の補助ドア（１１）の縦断面をそれぞれ表わしている。ランナー（１４）は上レール（９）に遊嵌すると共に補助ドア（１１）を吊設し、補助ドア（１１）は回転しながら上レール（９）に沿って移動することで、開閉することが出来る。
【００１９】
（ａ）に示すように、折戸が閉じるならば、戸当りのマグネット１の吸引力によって該折戸はバタ付かないように静止することが出来る。この状態でツマミ（１５）を回してロッド（１６）を上方へ突出して上レール（９）の走行溝に嵌入することでロックされる。以上述べたように、本発明の戸当りはマグネットとゴム等の弾性体を組合せて構成し、弾性体表面とマグネット面との間に僅かな段差を形成したものであり、次のような効果を得ることが出来る。
【００２０】
【発明の効果】
本発明の戸当りは弾性体とマグネットとの組合せで構成すると共に、マグネット面は弾性体表面から僅かに後退した段差を有している。したがって、ドアを開閉した場合には、弾性体によって衝撃を緩和し、衝撃音を発生することなく静かに開閉することが出来る。そして、マグネットの吸引力は作用して、ドアはバタ付くことなく安定して静止する。しかし、この場合にマグネット表面は戸当りが当る他の被戸当り部材に接することは無いために、衝撃によってマグネットが欠けたり、破損することは無く、また他の被戸当り部材、例えば上レール表面をキズ付けることも無い。
【００２１】
一方、マグネット表面と弾性体表面との段差を調整可能な構造とするならば、ドアの大きさや重量によって違ってくる開閉時の運動エネルギーを吸収して弾性体が圧縮変形しても、マグネット表面に接することが無いようにすることが出来る。そして、この戸当りを主ドアと補助ドアにて構成する折戸の継手部付近に取付けるならば、該折戸の開閉操作はスムーズに行われ、特に閉じた際に折戸は安定して静止し、ツマミを回して素早くロックすることが出来る。
【図面の簡単な説明】
【図１】本発明の戸当りを示す実施例。
【図２】戸当りを折戸上端に取付けた場合。
【図３】戸当りを備えた折戸が折畳まれて開いた場合の断面図。
【図４】折戸が閉じた場合の断面図。
【図５】折戸装置の正面図。
【図６】折戸が折畳まれた場合の横断面図。
【符号の説明】
１  マグネット
２  ゴム
３  ホルダー
４  縦片
５  受け
６  ネジ
７  マグネット表面
８  ゴム表面
９  上レール
１０  主ドア
１１  補助ドア
１２  継手部
１３  仕切りパネル
１４  ランナー
１５  ツマミ
１６  ロッド
【図１】
2004324324.tif 000003
【図２】
2004324324.tif 000004
【図３】
2004324324.tif 000005
【図４】
2004324324.tif 000006
【図５】
2004324324.tif 000007
【図６】
2004324324.tif 000008